(57)【要約】【課題】小さな力で簡単に開閉操作を行うことができ、組立作業性を向上できるとともに、コストダウンを図る。【解決手段】縦長部材（縦框１１Ａ，１１Ｂおよび中框１３Ａ，１３Ｂ）と、横長部材（上下桟１２Ａ，１２Ｂおよび中桟１４）と、縦長部材の対向面に配設した複数の固定片２８Ａ，２８Ｂと、固定片２８Ａ，２８Ａおよび２８Ｂ，２８Ｂに固定した複数のルーバー２７Ａ，２７Ｂと、各固定片２８Ａ，２８Ｂを連動させて正逆転させる連結部材３４Ａ，３４Ｂと、連結部材３４Ａ，３４Ｂに係止する係止部３９を有するとともに、係合凸部３８を有するリンク部材３７Ａ，３７Ｂと、縦長部材（中框１３Ａ，１３Ｂ）の近傍で、かつ、横長部材（中桟１４）に横方向に移動可能に配設され、横方向に延びるとともに縦方向に傾斜し係合凸部３８を摺動可能に係合するガイド溝５２を有する操作部材４８Ａ，４８Ｂとを備えた構成する。【選択図】図１
2007040016.tif 000002
【特許請求の範囲】
【請求項１】
それぞれ平行な少なくとも第１および第２の縦長部材と、
これら縦長部材に対して直交方向に延びる少なくとも第１および第２の横長部材と、
前記縦長部材の対向面に、所定間隔をもって回転可能に配設した複数の固定片と、
前記縦長部材間に並設され、その両端を前記固定片に固定した複数のルーバーと、
前記縦長部材内で前記固定片にピン結合され、縦方向に進退することにより、各固定片を連動させて正逆転させる連結部材と、
いずれかの前記縦長部材内を縦方向に延び、前記連結部材に係止する係止部を有するとともに、係合凸部を有するリンク部材と、
前記リンク部材を配設した縦長部材の近傍で、かつ、いずれかの前記横長部材に横方向に移動可能に配設され、横方向に延びるとともに縦方向に傾斜し前記リンク部材の係合凸部を摺動可能に係合するガイド溝を有する操作部材と
を備えたことを特徴とする可動ルーバー型雨戸。
【請求項２】
前記第２の縦長部材に隣接する第３の縦長部材を更に設け、
中央に位置する前記第２の縦長部材を境界として横方向の両側に、それぞれ前記固定片および連結部材により回転されるルーバーを配設し、
前記第２の縦長部材の近傍に前記操作部材を配設するとともに、前記リンク部材の係止部を、前記第２の縦長部材内に位置する一対の連結部材に係止したことを特徴とする請求項１に記載の可動ルーバー型雨戸。
【請求項３】
前記第２の横長部材に隣接する第３の横長部材を更に設け、
中央に位置する前記第２の横長部材を境界として縦方向の両側に、異なる第２の連結部材、第２の操作部材および第２のリンク部材により開閉可能とした第２のルーバーを更に設けたことを特徴とする請求項１または請求項２に記載の可動ルーバー型雨戸。
【請求項４】
前記第１および第２の横長部材間に位置する第１のルーバーを開閉操作する第１の操作部材と、前記第２および第３の横長部材間に位置する第２のルーバーを開閉操作する第２の操作部材とは、その開操作方向および閉操作方向が同一向きであることを特徴とする請求項３に記載の可動ルーバー型雨戸。
【請求項５】
前記第１および第２の操作部材は、縦方向に隣接する位置に設けられ、第１のルーバーおよび第２のルーバーの同一回転角度では、横方向の移動距離が略一致するようにしたことを特徴とする請求項４に記載の可動ルーバー型雨戸。
【発明の詳細な説明】
【技術分野】
【０００１】
本発明は、開閉可能なルーバーを有する可動ルーバー型雨戸に関するものである。
【背景技術】
【０００２】
この種の可動ルーバー型の雨戸は、縦長部材として平行な一対の縦框と、横長部材として前記縦框に直交する上下桟とを備えている。また、この雨戸は、その取付場所に従って大きさが決定され、大きいものには一対の縦框の間に中框が縦長部材として更に配設されるとともに、一対の上下桟の間に中桟が横長部材として更に配設される。そして、これら縦長部材および横長部材で囲繞された各空間には、回転可能なルーバーが配設され、所定の操作部材の操作により回転角度を調整できるように構成している。
【０００３】
本発明の可動ルーバー型雨戸に関連する先行技術文献情報としては次のものがある。
【０００４】
【特許文献１】特開２００２−２５６７７６号公報
【特許文献２】特開２００４−２９３０９７号公報
【０００５】
特許文献１には、中桟に設けられた操作スライダを左右に摺動させることにより、ねじりバーを回転させると同時に、このねじりバーに結合した回転軸と第１の伝達部材とを回転させることにより、第１の伝達部材にピン結合されたバー部材を進退させ、第２の伝達部材を介してルーバーを回転、即ち、開閉させるようにした可動ルーバー型雨戸が記載されている。
【０００６】
しかし、この特許文献１では、回転軸により第１の伝達部材を回転させ、この第１の伝達部材の回転をバー部材の進退方向の移動に変換する必要がある。そのうえ、このバー部材の進退移動を、複数のルーバーの回転に更に変換する必要がある。そして、これらの動作には大きな抵抗や摩擦力が作用するため、スライダの操作によるルーバーの開閉操作に大きな力を要するという問題がある。
【０００７】
この特許文献１に係る問題を解決するため、本出願人は特許文献２で、屋内側に面した操作部を回転させることにより、前記連結部材を進退させてルーバーを開閉させる開閉機構を搭載した可動ルーバー型雨戸を提案している。具体的には、この開閉機構は、操作部を有する回転軸部材と、該回転軸部材が正逆転することにより歯車列を介して正逆転するねじ部材と、このねじ部材が正逆転することにより該ねじ部材に対して相対的に進退する可動片とを備え、前記可動片に前記連結部材に係止する係止部が設けられてる。
【０００８】
この特許文献２では、ルーバーを開閉操作する際の力に関する問題、即ち、ユーザの使用上の利便性に係る問題は十分に解消できる。しかし、前記開閉機構が複雑であるため、組立作業性が悪いうえ、コスト高になるという不都合がある。
【発明の開示】
【発明が解決しようとする課題】
【０００９】
本発明は、従来の問題に鑑みてなされたもので、小さな力で簡単に開閉操作を行うことができ、組立作業性を向上できるとともに、コストダウンを図ることができる可動ルーバー型雨戸を提供することを課題とするものである。
【課題を解決するための手段】
【００１０】
前記課題を解決するため、本発明の可動ルーバー型雨戸は、それぞれ平行な少なくとも第１および第２の縦長部材と、これら縦長部材に対して直交方向に延びる少なくとも第１および第２の横長部材と、前記縦長部材の対向面に、所定間隔をもって回転可能に配設した複数の固定片と、前記縦長部材間に並設され、その両端を前記固定片に固定した複数のルーバーと、前記縦長部材内で前記固定片にピン結合され、縦方向に進退することにより、各固定片を連動させて正逆転させる連結部材と、いずれかの前記縦長部材内を縦方向に延び、前記連結部材に係止する係止部を有するとともに、係合凸部を有するリンク部材と、前記リンク部材を配設した縦長部材の近傍で、かつ、いずれかの前記横長部材に横方向に移動可能に配設され、横方向に延びるとともに縦方向に傾斜し前記リンク部材の係合凸部を摺動可能に係合するガイド溝を有する操作部材とを備えた構成としている。
【００１１】
本発明の可動ルーバー型雨戸では、操作部材の横方向の操作を、ガイド溝によりリンク部材の縦方向の移動に変換し、このリンク部材の移動に連結部材を連動させて進退させることにより、固定片を介してルーバーを回転させることができる。即ち、大きな抵抗や摩擦力が生じる直線的な進退方向の移動と回転方向の移動との変換は、ルーバーの開閉部分のみであるため、操作部材の操作によるルーバーの開閉操作に要する力を低減することができる。しかも、その開閉（リンク）機構は、横方向に延び縦方向に傾斜するガイド溝を有する操作部材と、縦長部材内に延びるリンク部材とからなるため、その構成を簡素化でき、組立作業性を向上できるとともにコストダウンを図ることができる。
【００１２】
この可動ルーバー型雨戸では、前記第２の縦長部材に隣接する第３の縦長部材を更に設け、中央に位置する前記第２の縦長部材を境界として横方向の両側に、それぞれ前記固定片および連結部材により回転されるルーバーを配設し、前記第２の縦長部材の近傍に前記操作部材を配設するとともに、前記リンク部材の係止部を、前記第２の縦長部材内に位置する一対の連結部材に係止することが好ましい。このようにすれば、リンク部材を直線的に延びる棒状の部材により構成できる。その結果、操作部材の操作力を、無駄なくルーバーの開閉操作力として作用させることができる。
【００１３】
また、前記第２の横長部材に隣接する第３の横長部材を更に設け、中央に位置する前記第２の横長部材を境界として縦方向の両側に、異なる第２の連結部材、第２の操作部材および第２のリンク部材により開閉可能とした第２のルーバーを更に設けることが好ましい。
【００１４】
この場合、前記第１および第２の横長部材間に位置する第１のルーバーを開閉操作する第１の操作部材と、前記第２および第３の横長部材間に位置する第２のルーバーを開閉操作する第２の操作部材とは、その開操作方向および閉操作方向が同一向きであることが好ましい。このようにすれば、ユーザの開閉操作性を向上できる。
【００１５】
しかも、前記第１および第２の操作部材は、縦方向に隣接する位置に設けられ、第１のルーバーおよび第２のルーバーの同一回転角度では、横方向の移動距離が略一致することが好ましい。このようにすれば、縦方向に長い雨戸において、ユーザが目線から離れた側に位置する第１のルーバーまたは第２のルーバーの回転角度を調整する際の利便性を向上できる。
【発明の効果】
【００１６】
本発明の可動ルーバー型雨戸では、大きな抵抗となる直線的な移動と回転方向の移動との変換は、ルーバーの開閉部分のみであるため、操作部材の操作によってルーバーを開閉させる操作力を非常に小さくすることができる。しかも、その開閉機構の構成を簡素化できるため、組立作業性を向上できるとともにコストダウンを図ることができる。
【発明を実施するための最良の形態】
【００１７】
以下、本発明の実施の形態を図面に従って説明する。
【００１８】
図１は、本発明に係る実施形態の可動ルーバー型雨戸（以下「雨戸」と略する。）１０を示す。この雨戸１０は、それぞれ一対の縦框１１Ａ，１１Ｂと上下桟１２Ａ，１２Ｂとで長方形状の枠体を構成し、これらの間に＋字形状をなすように中框１３Ａ，１３Ｂおよび中桟１４を配設し、これらで囲繞された４個の空間に複数のルーバー２７Ａ，２７Ｂを回転可能に並設したものである。
【００１９】
前記縦框１１Ａ，１１Ｂおよび中框１３Ａ，１３Ｂは、所定間隔をもって互いに平行に隣接する第１から第３の縦長部材を構成する。具体的には、一端の縦框１１Ａ（第１の縦長部材）に直線的に位置する中框１３Ａ，１３Ｂ（第２の縦長部材）が平行に位置し、その中框１３Ａ，１３Ｂに他端の縦框１１Ｂ（第３の縦長部材）が平行に位置する。そのうち、縦框１１Ａ，１１Ｂは略四角筒状をなし、中框１３Ａ，１３Ｂとの対向面となる側面に横方向に突出する一対のリブを設けることにより、断面コ字形状をなす装着部１５Ａ，１５Ｂを形成したものである。また、中框１３Ａ，１３Ｂは、図２および図３に示すように、四角筒状をなす中框本体１６と、該中框本体１６に対して室内側にネジ止め固定するカバー１７とからなる。そして、これらには、縦框１１Ａ，１１Ｂとの対向面となる両側に横方向に突出するリブをそれぞれ設けることにより、縦框１１Ａ，１１Ｂと同様に断面コ字形状をなす一対の装着部１８，１８が形成されている。これら装着部１５Ａ，１８，１８，１５Ｂは、互いに対向するように配置され、その内部に断面逆コ字形状をなす縦枠材１９が配設される。そして、この縦枠材１９の内部には、後述するルーバー２７Ａ，２７Ｂの開閉機構が配設されている。
【００２０】
前記上下桟１２Ａ，１２Ｂおよび中桟１４は、図１に示すように、縦框１１Ａ，１１Ｂおよび中框１３Ａ，１３Ｂに対して直交し、所定間隔をもって互いに平行に隣接する第１から第３の横長部材を構成する。具体的には、一端の上桟１２Ａ（第１の横長部材）に中桟１４（第２の横長部材）が平行に位置し、その中桟１４に他端の下桟１２Ｂ（第３の横長部材）が平行に位置する。そのうち、上桟１２Ａは、上端を開口した凹状のレール部材からなり、その両端には、高さが異なる３個のブロック片２０Ａ，２０Ｂ，２０Ｃが配設され、所定のブロック片２０Ａ〜２０Ｃを取り外すことにより雨戸１０の全高を調整可能としている。また、下桟１２Ｂは、下端を開口した逆凹状のレール部材からなり、その内部には図示しない下レール上に配置される一対のローラ２１が設けられている。また、下桟１２Ｂには、室内側に位置する面に、図示しないロック部材を下向きに進出させて雨戸１０を下レール上で移動不可能にロックするロック操作部材２２が設けられている。さらに、中桟１４は、図６に示すように、室外側に位置する平面部２３の縦方向両端より室内側に向けて一対の枠壁２４を突設することにより、室内側を開口した断面略コ字形状のものである。この枠壁２４には、基枠４４と、操作部材４８Ａ，４８Ｂとを離脱不可能に位置決めする係合溝２５が、外向きに膨出するように設けられている。また、前記中框１３Ａ，１３Ｂと対応する中央には、該中桟１４から各中框１３Ａ，１３Ｂ内にかけて延びるようにリンク部材３７Ａ，３７Ｂを配設するための貫通孔２６が設けられている。
【００２１】
図１および図２に示すように、隣接する縦長部材である縦框１１Ａと中框１３Ａ，１３Ｂとの間、および、中框１３Ａ，１３Ｂと縦框１１Ｂとの間には、複数のルーバー２７Ａ，２７Ｂが並設されている。具体的には、縦框１１Ａ、中框１３Ａ、上桟１２Ａおよび中桟１４により囲繞された第１の空間、中框１３Ａ、縦框１１Ｂ、上桟１２Ａおよび中桟１４により囲繞された第２の空間、縦框１１Ａ、中框１３Ｂ、中桟１４および下桟１２Ｂにより囲繞された第３の空間、そして、中框１３Ｂ、縦框１１Ｂ、中桟１４および下桟１２Ｂにより囲繞された第４の空間には、複数のルーバー２７Ａ，２７Ｂが横方向に延びるように並設されている。即ち、中央に位置する第２の縦長部材である中框１３Ａ，１３Ｂを境界として横方向の両側にそれぞれルーバー２７Ａ，２７Ａ，２７Ｂ，２７Ｂが配設され、また、中央に位置する第２の横長部材である中桟１４を境界として縦方向の両側にそれぞれルーバー２７Ａ，２７Ｂ，２７Ａ，２７Ｂが配設された状態をなす。
【００２２】
そして、図２から図５に示すように、これらルーバー２７Ａ，２７Ｂのうち、縦方向上側で横方向に隣接するルーバー２７Ａ，２７Ａは、第１の固定片２８Ａと、第１の連結部材３４Ａと、第１のリンク部材３７Ａとからなる第１の開閉機構により回転可能に取り付けられ、第１の操作部材４８Ａにより所定角度範囲内で連動して回転される。また、縦方向下側で横方向に隣接するルーバー２７Ｂ，２７Ｂは、第２の固定片２８Ｂと、第２の連結部材３４Ｂと、第２のリンク部材３７Ｂとからなる第２の開閉機構により回転可能に取り付けられ、第２の操作部材４８Ｂにより所定角度範囲内で連動して回転される。
【００２３】
前記固定片２８Ａ，２８Ｂは樹脂製であり、前記縦框１１Ａ，１１Ｂおよび中框１３Ａ，１３Ｂの対向面を構成する縦枠材１９に形成した取付孔２９に取り付けることにより、縦方向に所定間隔をもって回転可能に配設されるものである。具体的には、固定片２８Ａ，２８Ｂは、取付孔２９より大径の基部３０と、該基部３０の一端から同一軸芯で突設された取付孔２９より小径の固定部３１と、前記基部３０の他端から突設したピン結合部３２とを備えている。前記固定部３１にはルーバー２７Ａ，２７Ｂの端部を挿通する溝３１ａが形成され、ルーバー２７Ａ，２７Ｂの固定溝部３３に挿入係止することにより、ボルトやねじのような他の固定部材を使用することなく一体的に固定できるように構成している。前記ピン結合部３２は、前記ピン結合部３２は、アーム部３２ａを介して基部３０から所定間隔をもって平行に突設され、後述する連結部材３４Ａ，３４Ｂに対して貫通されることにより、回転可能に連結される。
【００２４】
前記連結部材３４Ａ，３４Ｂは断面コ字形状をなす金属材料からなり、その閉塞板部には、前記取付孔２９と同一ピッチで前記ピン結合部３２を挿入によりピン結合する結合孔３５が設けられている。そして、該連結部材３４Ａ，３４Ｂが縦方向に進退されることにより、ピン結合部３２が縦方向に移動され、基部３０および固定部３１を連動して正逆転させて、ルーバー２７Ａ，２７Ｂを連動させて開閉できるように構成している。また、この連結部材３４Ａ，３４Ｂには、リンク部材３７Ａ，３７Ｂを挿入係止する係止孔３６が設けられている。
【００２５】
前記リンク部材３７Ａ，３７Ｂは樹脂製であり、図５および図６に示すように、中桟１４の中央から縦長部材の１つである中框１３Ａ，１３Ｂ内をそれぞれ縦方向に延びるように配設されるものである。このリンク部材３７Ａ，３７Ｂには、中桟１４内に位置する基端に後述する操作部材４８Ａ，４８Ｂに係合する係合凸部３８が円柱状に突出するように設けられている。また、中框１３Ａ，１３Ｂ内に位置する先端には、連結部材３４Ａ，３４Ｂに係止する係止部３９が設けられている。この係止部３９は、棒状をなす本体の先端に一対のネジ止め孔４０ａ，４０ｂを設け、これらネジ止め孔４０ａ，４０ｂに別体の係止部材４１を選択的にネジ止めして取り付けることにより、リンク部材３７Ａ，３７Ｂ全体の長さ調節を可能に構成している。係止部材４１は、リンク部材３７Ａ，３７Ｂ全体の長さを更に微調整するための長孔４２を備えている。そして、この係止部材４１の先端には、中框１３Ａ，１３Ｂ内に位置する一対の連結部材３４Ａ，３４Ａおよび連結部材３４Ｂ，３４Ｂの係止孔３６に挿入される金属製係止棒４３が、両側から突出するようにインサート成型されている。
【００２６】
前記操作部材４８Ａ，４８Ｂを移動可能に配設する基枠４４は樹脂製であり、図６に示すように、中桟１４の係合溝２５に係合する係合段部４５を備えた長方形状の板材からなる。この基枠４４の中央には、断面略Ｔ字形状に突出するガイド枠部４６が横方向に延びるように突設されている。また、この基枠４４の中央には、前記リンク部材３７Ａ，３７Ｂを挿通する凹状に窪んだ挿通溝４７が縦方向に延びるように設けられている。この基枠４４は、前記中桟１４に対して、挿通溝４７が貫通孔２６に一致するように配置され、ネジ止めにより固定される。
【００２７】
前記操作部材４８Ａ，４８Ｂは樹脂製であり、横長部材の１つである中桟１４に基枠４４を介して横方向に移動可能で、かつ、中框１３Ａ，１３Ｂの近傍に位置するように配設されるものである。この操作部材４８Ａ，４８Ｂの室内側に位置する正面には、一端に中桟１４の係合溝２５の内壁面に当接して位置決めされる位置決め片４９が突設されるとともに、他端に基枠４４のガイド枠部４６内に位置決めされる位置決め段部５０が設けられている。また、中桟１４の枠壁２４の先端と略一致するように、一対の開閉操作部５１ａ，５１ｂが突設されている。さらに、この操作部材４８Ａ，４８Ｂの背部には、リンク部材３７Ａ，３７Ｂの係合凸部３８を摺動可能に係合するガイド溝５２が設けられている。このガイド溝５２は、横方向に延びるととともに縦方向に傾斜するように設けられている。具体的には、このガイド溝５２は、長方形状をなす操作部材４８Ａ，４８Ｂに対して略対角線上に延びるように形成され、その一端には外周壁から該ガイド溝５２内に連通させる開口部５３が形成されている。そして、この開口部５３からリンク部材３７Ａ，３７Ｂの係合凸部３８が挿入されてガイド溝５２内に係合され、操作部材４８Ａ，４８Ｂの横方向の操作により、このガイド溝５２の縦方向の傾斜に従ってリンク部材３７Ａ，３７Ｂが上下動されるように構成している。なお、操作部材４８Ａ，４８Ｂは同一部品であり、操作部材４８Ａに対して操作部材４８Ｂは１８０度回転させた状態で配置される。
【００２８】
図２および図４に示すように、本実施形態では、縦方向上側に位置する操作部材４８Ａは、上桟１２Ａ（第１の横長部材）および中桟１４（第２の横長部材）間に位置する縦方向上側の第１のルーバー２７Ａ，２７Ａを開閉操作する。また、縦方向下側に位置する操作部材４８Ｂは、中桟１４（第２の横長部材）および下桟１２Ｂ（第３の横長部材）間に位置する縦方向下側の第２のルーバー２７Ｂ，２７Ｂを開閉操作する。そして、これら操作部材４８Ａ，４８Ｂによる開閉操作方向は、横方向においてそれぞれ同一向きとなるように構成し、その方向性を示す表示部５４が設けられている。しかも、これら操作部材４８Ａ，４８Ｂは、縦方向に隣接し、横方向に一致する位置に配置され、各ルーバー２７Ａ，２７Ｂの同一回転角度では、横方向の移動距離は勿論、横方向の位置も一致するように構成されている。
【００２９】
前記開閉機構により開閉されるルーバー２７Ａ，２７Ｂは、縦框１１Ａ，１１Ｂおよび中框１３Ａ，１３Ｂの長さと、これらの間の間隔に合わせて形成され、その両端に固定片２８Ａ，２８Ｂを介して縦枠材１９が配設される。また、各縦枠材１９の内部には、連結部材３４Ａ，３４Ｂが配設され、この連結部材３４Ａ，３４Ｂにそれぞれ固定片２８Ａ，２８Ｂが連結される。そして、この状態で、縦框１１Ａ，１１Ｂおよび中框１３Ａ，１３Ｂの装着部１５Ａ，１８，１８，１５Ｂ内に嵌入させられる。
【００３０】
その後、操作部材４８Ａ，４８Ｂの各開口部５３と中桟１４の貫通孔２６とが縦方向に一致するように移動され、この状態で、ガイド溝５２内にリンク部材３７Ａ，３７Ｂの係合凸部３８を挿入した後、係止部３９の金属製係止棒４３を中框１３Ａ，１３Ｂ内に位置する連結部材３４Ａ，３４Ａ，３４Ｂ，３４Ｂの係止孔３６にそれぞれ挿入して係止することにより組み立てられる。
【００３１】
このように、本発明の雨戸１０におけるルーバー２７Ａ，２７Ｂの開閉機構は、従来と同様の固定片２８Ａ，２８Ｂを連結した連結部材３４Ａ，３４Ｂを進退移動させるために、リンク部材３７Ａ，３７Ｂと操作部材４８Ａ，４８Ｂとを配設しただけであるため、その構成が簡素化されている。そのため、組立作業性を向上できるとともにコストダウンを図ることができる。
【００３２】
次に、前記操作部材４８Ａ，４８Ｂの操作に伴って開閉機構を介してルーバー２７Ａ，２７Ｂを開閉させる動作について具体的に説明する。
【００３３】
まず、図２に示す操作部材４８Ａ，４８Ｂの中立位置では、ルーバー２７Ａ，２７Ｂは、全閉状態と全開状態との間の半開状態となっている。そして、この状態で、図７に示すように、操作部材４８Ａ，４８Ｂをそれぞれ横方向左側に移動させると、各ルーバー２７Ａ，２７Ｂは、各上下端に隣接するルーバー２７Ａ，２７Ｂがオーバーラップした全閉状態となる。具体的には、まず、操作部材４８Ａ，４８Ｂが左側に移動されると、そのガイド溝５２の傾斜に従って各リンク部材３７Ａ，３７Ｂが、中框１３Ａ，１３Ｂ内において縦方向上向きに移動される。そうすると、図４（Ａ）に示すように、リンク部材３７Ａ，３７Ｂの移動に連動して、中框１３Ａ，１３Ｂ内に位置する一対の連結部材３４Ａ，３４Ａおよび３４Ｂ，３４Ｂがそれぞれ一体的に上向きに移動される。その結果、各連結部材３４Ａ，３４Ｂに従動して固定片２８Ａ，２８Ｂのピン結合部３２が上向きに移動される。これにより、移動不可能な縦枠材１９に挿通された固定片２８Ａ，２８Ｂの基部３０が取付孔２９を中心として回転し、基部３０と同軸の固定部３１に取り付けられた全てのルーバー２７Ａ，２７Ｂが一体的に回転し、閉状態となる。また、両端の縦框１１Ａ，１１Ｂでは、ルーバー２７Ａ，２７Ｂの回転に従って、固定片２８Ａ，２８Ｂが回転されるとともに、連結部材３４Ａ，３４Ｂが上向きに移動する。
【００３４】
一方、図８に示すように、操作部材４８Ａ，４８Ｂをそれぞれ横方向右側に移動させると、各ルーバー２７Ａ，２７Ｂは、略水平に回動した全開状態となる。具体的には、まず、操作部材４８Ａ，４８Ｂが右側に移動されると、そのガイド溝５２の傾斜に従って各リンク部材３７Ａ，３７Ｂが、中框１３Ａ，１３Ｂ内において縦方向下向きに移動される。そうすると、図４（Ｂ）に示すように、リンク部材３７Ａ，３７Ｂの移動に連動して、中框１３Ａ，１３Ｂ内に位置する一対の連結部材３４Ａ，３４Ａおよび３４Ｂ，３４Ｂがそれぞれ一体的に下向きに移動される。その結果、各連結部材３４Ａ，３４Ｂに従動して固定片２８Ａ，２８Ｂのピン結合部３２が下向きに移動される。これにより、移動不可能な縦枠材１９に挿通された固定片２８Ａ，２８Ｂの基部３０が取付孔２９を中心として回転し、基部３０と同軸の固定部３１に取り付けられた全てのルーバー２７Ａ，２７Ｂが一体的に回転し、開状態となる。また、両端の縦框１１Ａ，１１Ｂでは、ルーバー２７Ａ，２７Ｂの回転に従って、固定片２８Ａ，２８Ｂが回転されるとともに、連結部材３４Ａ，３４Ｂが下向きに移動する。
【００３５】
このように、本発明の雨戸１０では、操作部材４８Ａ，４８Ｂの横方向の操作を、ガイド溝５２によりリンク部材３７Ａ，３７Ｂの縦方向の移動に変換し、このリンク部材３７Ａ，３７Ｂの移動で、同一方向の移動である連結部材３４Ａ，３４Ｂを連動させて進退させ、固定片２８Ａ，２８Ｂを介してルーバー２７Ａ，２７Ｂを回転させる。即ち、大きな抵抗や摩擦力が生じる直線的な移動と回転方向の移動との変換は、ルーバー２７Ａ，２７Ｂの開閉部分のみであるため、操作部材４８Ａ，４８Ｂの操作によるルーバー２７Ａ，２７Ｂの開閉操作に要する力を低減することができる。
【００３６】
ここで、ルーバー２７Ａ，２７Ｂを開閉させるために、リンク部材３７Ａ，３７Ｂを縦方向に移動させる仕事量は、操作部材を縦方向に移動可能に配設して直接的に縦方向に移動させる場合と、前述のように操作部材４８Ａ，４８Ｂを横方向に移動可能としてガイド溝５２を介して間接的に縦方向に移動させる場合とでは同一である。しかし、本実施形態のように、横方向に延び縦方向に傾斜するガイド溝５２を適用した場合、その操作量（距離）は長くなるが、必要な操作力は少なくできる。言い換えれば、ガイド溝５２の横方向の長さを変更することにより、縦方向の傾斜角度を変更し、開閉操作に必要な力を容易に軽減できる。しかも、ガイド溝５２の横方向の寸法を大きくした場合、操作量に伴うルーバー２７Ａ，２７Ｂの回転角度が小さくなるため、ルーバー２７Ａ，２７Ｂの回転角度の微調整を簡単に行うことができる。
【００３７】
また、操作部材を縦方向に移動可能に配設した場合には、室外からルーバー２７Ａ，２７Ｂを直接回転させると、リンク部材３７Ａ，３７Ｂを連動させて簡単に開閉できるため、防犯の面で難点があるが、本実施形態では、ルーバー２７Ａ，２７Ｂを直接回転させようとした場合、リンク部材３７Ａ，３７Ｂの係合凸部３８がガイド溝５２の内壁に当接するため、リンク部材３７Ａ，３７Ｂを移動させることはできない。そのため、防犯に係る問題も十分に解消できる。
【００３８】
さらに、本実施形態の雨戸１０は、縦框１１Ａ、中框１３Ａ，１３Ｂおよび縦框１１Ｂの３列の縦長部材を有する構成であり、その中間部分の中框１３Ａ，１３Ｂの近傍に位置するように、操作部材４８Ａ，４８Ｂを配設し、中框１３Ａ，１３Ｂ内に位置するようにリンク部材３７Ａ，３７Ｂを配設する構成としている。その結果、リンク部材３７Ａ，３７Ｂは、直線的に延びる棒状部材により構成できるため、操作部材４８Ａ，４８Ｂの操作力を、無駄なくルーバー２７Ａ，２７Ｂの開閉操作力として作用させることができる。
【００３９】
また、中桟１４を境界として上側に位置するルーバー２７Ａ，２７Ａを開閉操作する操作部材４８Ａと、下側に位置するルーバー２７Ｂ，２７Ｂを開閉操作する操作部材４８Ｂとは、その開操作方向および閉操作方向が同一向きであるため、ユーザが上下のルーバー２７Ａ，２７Ｂの開閉操作する際に困惑を与えることを防止でき、利便性を向上できる。
【００４０】
しかも、前記第１および第２の操作部材４８Ａ，４８Ｂは、縦方向に隣接する位置に設けられ、各ルーバー２７Ａ，２７Ｂの同一回転角度では、横方向の移動距離が一致するため、ユーザが各ルーバー２７Ａ，２７Ｂの回転角度を調整する際の利便性を向上できる。即ち、ルーバー２７Ａ，２７Ｂの回転角度を細かく調整する場合、その目線に位置するルーバー２７Ａ，２７Ｂを凝視した状態で操作部材４８Ａ，４８Ｂを操作するのが一般的である。しかし、中桟１４を境界として上下にルーバー２７Ａ，２７Ｂを配設するような縦長の雨戸１０では、例えば下側のルーバー２７Ｂを凝視するには屈んだ状態で操作部材４８Ｂを操作する必要がある。しかし、本実施形態では、操作部材４８Ａ，４８Ｂを横方向に一致する箇所に操作すれば、上下のルーバー２７Ａ，２７Ｂを同一回転角度とすることができる。そのため、ユーザは、目線から離れた部分に位置するルーバー２７Ａ，２７Ｂの回転角度を調整する際に無理な姿勢で行う必要がないため、利便性を向上できる。
【００４１】
なお、本発明の可動ルーバー型雨戸は、前記実施形態の構成に限定されるものではなく、種々の変更が可能である。
【００４２】
例えば、図９に示すように、雨戸１０の取付場所の関係で、前記実施形態より縦方向の長さが短く、中桟１４を設けない構成の場合には、操作部材４８は１つのみでよい。また、図１０に示すように、雨戸１０の取付場所の関係で、前記実施形態より横方向の長さが短く、中框１３Ａ，１３Ｂを設けない構成の場合には、操作部材４８Ａ，４８Ｂは一方の縦框１１Ｂの近傍に位置するように配設する。この場合、図１１に示すように、リンク部材３７Ａ，３７Ｂには、その先端が縦框１１Ｂ内を縦方向に延びるように、屈曲部５５を設けることが好ましい。
【００４３】
また、前記実施形態では、リンク部材３７Ａ，３７Ｂを、棒状の本体と別体の係止部材４１とで構成したが、これらは一体に形成してもよい。勿論、その係止部３９と連結部材３４Ａ，３４Ｂとの係止構造は、孔３６と棒４３に限られず、希望に応じて変更が可能である。
【００４４】
さらに、前記実施形態では、リンク部材３７Ａ，３７Ｂ、基枠４４および操作部材４８Ａ，４８Ｂは、樹脂により形成したが、金属により形成してもよく、その成形材料は希望に応じて変更が可能である。
【図面の簡単な説明】
【００４５】
【図１】本発明に係る実施形態の雨戸を示す正面図である。
【図２】図１の一部を破断した要部拡大図である。
【図３】図１の要部拡大断面図である。
【図４】開閉機構によるルーバーの開閉状態を示す側面図である。
【図５】開閉機構の斜視図である。
【図６】リンク機構の分解斜視図である。
【図７】ルーバーの閉状態を示す要部拡大図である。
【図８】ルーバーの開状態を示す要部拡大図である。
【図９】雨戸の変形例を示す正面図である。
【図１０】雨戸の他の変形例を示す正面図である。
【図１１】図１０の雨戸に適用するリンク部材の構成を示すリンク機構の分解斜視図である。
【符号の説明】
【００４６】
１０…雨戸
１１Ａ，１１Ｂ…縦框（縦長部材）
１２Ａ，１２Ｂ…上下桟（横長部材）
１３Ａ，１３Ｂ…中框（縦長部材）
１４…中桟（横長部材）
１９…縦枠材
２７Ａ，２７Ｂ…ルーバー
２８Ａ，２８Ｂ…固定片
３４Ａ，３４Ｂ…連結部材
３７Ａ，３７Ｂ…リンク部材
３８…係合凸部
３９…係止部
４４…基枠
４８Ａ，４８Ｂ…操作部材
５２…ガイド溝
【図１】
2007040016.tif 000003
【図２】
2007040016.tif 000004
【図３】
2007040016.tif 000005
【図４】
2007040016.tif 000006
【図５】
2007040016.tif 000007
【図６】
2007040016.tif 000008
【図７】
2007040016.tif 000009
【図８】
2007040016.tif 000010
【図９】
2007040016.tif 000011
【図１０】
2007040016.tif 000012
【図１１】
2007040016.tif 000013